(57)【要約】【課題】ネットワークなしにユーザ同士が繋がることが可能で、しかもメモリに事前に自己のプロフィールを登録しておく必要がない通信端末および通信システムならびにその通信方法の提供。【解決手段】  他の通信端末と直接無線通信を行う第１無線通信部１１を含む通信端末１であって、自端末１で起動した機能に関連する個人情報が格納される記憶部１２と、各種情報が表示される表示部１３と、第１無線通信部１１、記憶部１２および表示部１３を制御する制御部１４とを含み、制御部１４は、第１無線通信部１１を介して、記憶部１２に格納された自個人情報を他の通信端末へ送信するとともに、他の通信端末から得た個人情報と自個人情報とを比較し、比較結果を表示部１３へ表示する。【選択図】      図１
2009105688.tif 000002
【特許請求の範囲】
【請求項１】
他の通信端末と直接無線通信を行う第１無線通信部を含む通信端末であって、
自端末で起動した機能に関連する個人情報が格納される記憶部と、
各種情報が表示される表示部と、
前記第１無線通信部、記憶部および表示部を制御する制御部とを含み、
前記制御部は、前記第１無線通信部を介して、前記記憶部に格納された自個人情報を他の通信端末へ送信するとともに、前記他の通信端末から得た個人情報と前記自個人情報とを比較し、比較結果を前記表示部へ表示することを特徴とする通信端末。
【請求項２】
前記第１無線通信部は構内情報通信網と接続が可能に構成されることを特徴とする請求項１記載の通信端末。
【請求項３】
外部の無線基地局装置と通信を行い、かつ前記制御部に制御される第２の無線通信部を含むことを特徴とする請求項１または２記載の通信端末。
【請求項４】
少なくとも前記第２の無線通信部、外部の無線基地局装置および外部の通信網を介して他の通信装置と情報交換した結果が前記記憶部に格納されることを特徴とする請求項３記載の通信端末。
【請求項５】
前記自端末で起動した機能には、少なくとも無線で決済を行う機能、ＧＰＳで位置情報を取得する機能、通信網を介して所定のコンテンツを取得する機能、電子メール送受信機能のいずれかが含まれることを特徴とする請求項１から４いずれかに記載の通信端末。
【請求項６】
前記記憶部に格納される個人情報には予め登録された個人情報も含まれることを特徴とする請求項１から５いずれかに記載の通信端末。
【請求項７】
請求項１〜６いずれかに記載の通信端末を含むことを特徴とする通信システム。
【請求項８】
他の通信端末と直接無線通信を行う第１無線通信部を含む通信端末の通信方法であって、
自端末で起動した機能に関連する個人情報を記憶部へ格納する個人情報格納ステップと、
前記第１無線通信部を介して、前記記憶部に格納された自個人情報を他の通信端末へ送信するとともに、前記他の通信端末から得た個人情報と前記自個人情報とを比較し、比較結果を表示する制御ステップとを含むことを特徴とする通信方法。
【請求項９】
前記第１無線通信部は構内情報通信網と接続が可能に構成されることを特徴とする請求項８記載の通信方法。
【請求項１０】
外部の無線基地局装置と通信を行い、かつ前記制御ステップにて制御される第２の無線通信部を含むことを特徴とする請求項８または９記載の通信方法。
【請求項１１】
少なくとも前記第２の無線通信部および外部の通信網を介して他の通信装置と情報交換した結果が前記記憶部に格納されることを特徴とする請求項９記載の通信方法。
【請求項１２】
前記自端末で起動した機能には、少なくとも無線で決済を行う機能、ＧＰＳで位置情報を取得する機能、通信網を介して所定のコンテンツを取得する機能、電子メール送受信機能のいずれかが含まれることを特徴とする請求項８から１１いずれかに記載の通信方法。
【請求項１３】
他の通信端末と直接無線通信を行う第１無線通信部を含む通信端末の通信方法のプログラムであって、
コンピュータに、自端末で起動した機能に関連する個人情報を記憶部へ格納する個人情報格納ステップと、
前記第１無線通信部を介して、前記記憶部に格納された自個人情報を他の通信端末へ送信するとともに、前記他の通信端末から得た個人情報と前記自個人情報とを比較し、比較結果を表示する制御ステップとを実行させるためのプログラム。
【発明の詳細な説明】
【技術分野】
【０００１】
本発明は、通信端末および通信システムならびにその通信方法に関し、特に通信端末間で個人情報の送受信を行う通信端末および通信システムならびにその通信方法に関する。
【背景技術】
【０００２】
関連する通信端末として、架空のインターネット空間に、（自分の代わりとなる）架空の人間を立てて、ユーザ同士がコミュニケーションする機能を備えたものが存在する。この機能は一般にＳＮＳ（ｓｏｃｉａｌ  ｎｅｔｗｏｒｋｉｎｇ  ｓｅｒｖｉｃｅ）と呼ばれている。
【０００３】
その一例が特許文献１に開示されている。同特許文献に開示の通信端末は、無線ＬＡＮ等と接続して近距離通信が可能な通信端末である。この通信端末は無線ＬＡＮ等の通信網と接続しないで相手端末と直接通信すること（たとえば、アドホック通信）もできる。その通信端末のメモリには事前に自己のプロフィールが登録されている。その通信端末は他の通信端末とアドホック通信を介して、直接情報（自己のプロフィール）の送受信を行う。その結果共通項目があった場合は、その旨が表示部に表示される。
【０００４】
【特許文献１】特開２００７−１１０６１６号公報
【発明の開示】
【発明が解決しようとする課題】
【０００５】
しかし、関連する通信端末ではＳＮＳを通信網（ネットワーク）という仮想空間を土台として成立するものであり、通信網なしにユーザ同士が繋がることは困難である。
【０００６】
一方、この課題を解決する技術として通信網なしにユーザ同士が直接繋がる技術が前述の特許文献１に開示されている。しかし、この技術では通信端末のメモリに事前に自己のプロフィールを登録しなければならないという課題がある。
【０００７】
そこで本発明の目的は、通信網なしにユーザ同士が繋がることが可能で、しかもメモリに事前に自己のプロフィールを登録しておく必要がない通信端末および通信システムならびにその通信方法を提供することにある。
【課題を解決するための手段】
【０００８】
前記課題を解決するために本発明による通信端末は、他の通信端末と直接無線通信を行う第１無線通信部を含む通信端末であって、自端末で起動した機能に関連する個人情報が格納される記憶部と、各種情報が表示される表示部と、前記第１無線通信部、記憶部および表示部を制御する制御部とを含み、前記制御部は、前記第１無線通信部を介して、前記記憶部に格納された自個人情報を他の通信端末へ送信するとともに、前記他の通信端末から得た個人情報と前記自個人情報とを比較し、比較結果を前記表示部へ表示することを特徴とする。
【０００９】
また、本発明による通信システムは、上記通信端末を含むことを特徴とする。
【００１０】
また、本発明による通信方法は、他の通信端末と直接無線通信を行う第１無線通信部を含む通信端末の通信方法であって、自端末で起動した機能に関連する個人情報を記憶部へ格納する個人情報格納ステップと、前記第１無線通信部を介して、前記記憶部に格納された自個人情報を他の通信端末へ送信するとともに、前記他の通信端末から得た個人情報と前記自個人情報とを比較し、比較結果を表示する制御ステップとを含むことを特徴とする。
【００１１】
また、本発明によるプログラムは他の通信端末と直接無線通信を行う第１無線通信部を含む通信端末の通信方法のプログラムであって、コンピュータに、自端末で起動した機能に関連する個人情報を記憶部へ格納する個人情報格納ステップと、前記第１無線通信部を介して、前記記憶部に格納された自個人情報を他の通信端末へ送信するとともに、前記他の通信端末から得た個人情報と前記自個人情報とを比較し、比較結果を表示する制御ステップとを実行させることを特徴とする。
【発明の効果】
【００１２】
本発明によれば、通信網なしにユーザ同士が繋がることが可能で、しかもメモリに事前に自己のプロフィールを登録しておく必要がない通信端末および通信システムならびにその通信方法が得られる。
【発明を実施するための最良の形態】
【００１３】
以下、本発明の実施形態について添付図面を参照しながら説明する。まず、第１実施形態について説明する。図１は本発明に係る通信端末の第１実施形態の構成図である。
【００１４】
同図を参照すると、本発明に係る通信端末１は、第１無線通信部１１と、記憶部１２と、表示部１３と、制御部１４と、アンテナ１５と、プログラム格納部１６とを含んで構成される。
【００１５】
第１無線通信部１１はアンテナ１５を介して図示しない他の通信端末と、通信網（ネットワーク）を介さずに直接通信を行う。記憶部１２には自端末で起動した機能に関連する個人情報が格納される。表示部１３には各種情報が表示される。
【００１６】
プログラム格納部１６には後述するプログラムが格納される。
【００１７】
制御部１４は第１無線通信部１１、記憶部１２、表示部１３およびプログラム格納部１６を制御する。
【００１８】
制御部１４は、第１無線通信部１１を介して、記憶部１２に格納された自個人情報を図示しない他の通信端末へ送信するとともに、他の通信端末から得た個人情報と自個人情報とを比較し、比較結果を表示部１３へ表示する。
【００１９】
記憶部１２には自端末で起動した機能に関連する個人情報が格納されるが、この自端末で起動した機能には、たとえば、この通信端末１が備えるスケジュール作成機能がある。このスケジュール作成機能を用いて、たとえば行き先の情報、具体的には訪問する友人名、買い物に行く店名、あるいは食事に行くレストラン名等の個人情報が記憶部１２に格納される。
【００２０】
これらの個人情報が自端末で起動した機能に基づき記憶部１２に格納されるため、これらの個人情報は記憶部１２に自動的に格納される。
【００２１】
なお、制御部１４はプログラム格納部１６に格納されたプログラムに基づき第１無線通信部１１、記憶部１２および表示部１３を制御する。
【００２２】
次に、第１実施形態の動作について説明する。図２は本発明に係る通信端末の第１実施形態の動作を示すフローチャートである。
【００２３】
まず、自端末１で起動した機能に関連する個人情報が記憶部１２に自動的に格納される（ステップＳ１）。
【００２４】
次に、制御部１４は記憶部１２から個人情報を読み出し、その個人情報を第１無線通信部１１を介して送信するとともに、他の端末から他の個人情報を受信する（ステップＳ２）。
【００２５】
次に、制御部１４は両個人情報を比較し、両個人情報に共通点があるか否かを調べる（ステップＳ３）。たとえば、起動した機能が上記スケジュール作成機能の場合は、個人情報は一例として友人名、店名、レストラン名である。したがって、これらの名前同士を比較し、一致した場合はその個人情報に共通点があることになる。
【００２６】
そして、共通点がある場合（ステップＳ３にて“ＹＥＳ”の場合）、制御部１４は個人情報に共通点がある端末使用者が所定の距離の範囲内に居ることを表示部１３に表示させる（ステップＳ４）。
【００２７】
通信端末１の使用者は表示部１３の表示から個人情報に共通点がある端末使用者が所定の距離の範囲内に居ることを認識すると、その端末使用者と通信するか否かを判断する（ステップＳ５）。
【００２８】
そして、通信すると判断した場合は（ステップＳ５にて“ＹＥＳ”の場合）、その端末使用者と通信する（ステップＳ６）。
【００２９】
そして、その通信の結果、お互いが意気投合すれば、実際にその場で会ったり、好みの店あるいはレストラン等を紹介したり、されたりすること等が可能となる。
【００３０】
なお、ステップＳ３にて共通点がない場合（ステップＳ３にて“ＮＯ”の場合）、あるいはステップＳ５にて通信しないと判断した場合は（ステップＳ５にて“ＮＯ”の場合）、ステップＳ２に戻る。
【００３１】
以上説明したように本発明の第１実施形態によれば、通信網なしにユーザ同士が繋がることが可能で、しかもメモリに事前に自己のプロフィールを登録しておく必要がない通信端末１が得られる。
【００３２】
次に、第２実施形態について説明する。図３は本発明に係る通信端末の第２実施形態の構成図である。なお、同図において図１と同様の構成部分には同一番号を付し、その説明を省略する。
【００３３】
同図を参照すると、本発明に係る通信端末２１は、第２無線通信装置３１と、第１無線通信部１１と、音声処理部３２と、送話部（マイク）３３と、受話部（スピーカ）３４と、表示部１３とを含んで構成される。さらに通信端末２１は、カメラ部３５と、操作部３６と、記憶部１２と、制御部１４と、プログラム格納部１６と、アンテナ１５、３８および３９とを含んで構成される。
【００３４】
また、同図には便宜上、無線基地局装置５１およびアンテナ５２、ならびにアクセスポイント６１、アンテナ６２および構内情報通信網（ＷＬＡＮ：ｗｉｒｅｌｅｓｓ  ｌｏｃａｌ  ａｒｅａ  ｎｅｔｗｏｒｋ）６３も表示されている。
【００３５】
次に、通信端末２１の内部構成の一例について詳細に説明する。
【００３６】
第２無線通信装置３１はアンテナ３８および外部のアンテナ５２を介して、外部の無線基地局装置５１と接続する。
【００３７】
第１無線通信部１１はアンテナ３９を介して外部の構内情報通信網（ＷＬＡＮ）６３と接続する機能と、アンテナ１５を介しかつ外部の構内情報通信網（ＷＬＡＮ）６３を介さずに直接通信を行う機能（アドホック通信）との両機能を備えている。第１無線通信部１１と外部の構内情報通信網（ＷＬＡＮ）６３との通信は、外部の構内情報通信網（ＷＬＡＮ）６３内のアンテナ６２およびアクセスポイント６１を介して行われる。
【００３８】
音声処理部３２は送話部（マイク）３３および受話部（スピーカ）３４を介して入出力される音声信号の処理を行う。
【００３９】
表示部１３は液晶表示装置等で構成され、画像、図形、文字、記号等の情報表示出力を行う。
【００４０】
カメラ部３５は画像の取得（撮影）を行う。
【００４１】
操作部３６は利用者により情報の入力が行われる方向キーおよびテンキー等から構成される。
【００４２】
送話部（マイク）３３は利用者の音声が入力される。
【００４３】
受話部（スピーカ）３４は楽音や報知音等の鳴音が出力される。
【００４４】
記憶部１２には自端末で起動した機能に関連する個人情報、具体的には電話帳情報、送受信メール情報、発着呼の情報やコンテンツ情報、撮影画像、アプリケーションプログラム情報、キャラクタ情報、無線端末の諸設定等が格納される。
【００４５】
プログラム格納部１６には前述の通信方法のプログラムが格納される。
【００４６】
制御部１４はプログラム格納部１６に格納された通信方法のプログラムに基づき上記構成部３１，１１，３２，１３，３５，３６および１２を制御する。
【００４７】
次に、本発明の通信システムの一例について説明する。図４は本発明に係る通信システムの一例の構成図である。なお、同図において図３と同様の構成部分には同一番号を付し、その説明を省略する。
【００４８】
図４を参照すると、本発明に係る通信システムの一例は、構内情報通信網（ＷＬＡＮ）６３と、無線基地局装置５１と、上位装置７２と、通信端末７３と、インターネット等の通信網８１と、通信装置（コンテンツサーバ等）８２とを含んで構成される。
【００４９】
構内情報通信網（ＷＬＡＮ）６３はアクセスポイント６１と、通信端末２１と、他の通信端末２２とを含んで構成される。
【００５０】
無線基地局装置５１は上位装置７２および通信網８１ならびに通信端末７３と接続されている。また、無線基地局装置５１は通信網８１を介して通信装置（コンテンツサーバ等）８２とも接続されている。
【００５１】
なお、同図において構内情報通信網（ＷＬＡＮ）６３内の通信端末は２個表示されているが、３個以上設けることも可能である。また、無線基地局装置５１には通信端末が１個（通信端末７３）接続されているが、２個以上接続することも可能である。また、通信網８１には通信装置が１個（通信装置８２）接続されているが、２個以上接続することも可能である。
【００５２】
通信端末２１は通信端末２２と第１無線通信部１１およびアンテナ１５を介して直接通信することが可能である（アドホック通信）。この場合の送受信信号を信号１０１とする。
【００５３】
また、通信端末２１は通信端末２２と、第１無線通信部１１およびアンテナ３９および構内情報通信網（ＷＬＡＮ）６３内のアクセスポイント６１を介して通信することが可能である。この場合の送受信信号を信号１０２および１０３とする。
【００５４】
さらに、通信端末２１は、第２無線通信部３１、アンテナ３８および無線基地局装置５１を介して通信端末２２および７３と通信することが可能である。この場合の送受信信号を信号１０４〜１０６とする。
【００５５】
具体的には、通信端末２１と無線基地局装置５１間の送受信信号を信号１０４とする。また、無線基地局装置５１と通信端末２２間の送受信信号を信号１０５とする。また、無線基地局装置５１と通信端末７３間の送受信信号を信号１０６とする。
【００５６】
さらに、通信端末２１は、第２無線通信部３１およびアンテナ３８、無線基地局装置５１および通信網８１を介して通信装置（コンテンツサーバ等）８２と通信することが可能である。この場合の送受信信号を信号１０４、１０７および１０８とする。
【００５７】
具体的には、通信端末２１と無線基地局装置５１間の送受信信号を信号１０４とする。また、無線基地局装置５１と通信網８１間の送受信信号を信号１０７とする。また、通信網８１と通信装置８２間の送受信信号を信号１０８とする。
【００５８】
次に、第２実施形態の動作について説明する。
【００５９】
（１）通信端末２１が送受信信号１０１によるアドホック通信を行う場合。
これは前述した第１実施形態と同様の動作となる。
【００６０】
（２）通信端末２１が構内情報通信網（ＷＬＡＮ）６３内のアクセスポイント６１を介して送受信信号１０２および１０３による通信を行う場合。
【００６１】
この場合は、アクセスポイント６１を介して構内情報通信網（ＷＬＡＮ）６３内の通信端末２２と通信する動作となり、通信端末２２に関する個人情報（たとえば、ユーザ名等）がアクセスポイント６１を介して通信端末２１の記憶部１２に自動的に格納される。また、構内情報通信網（ＷＬＡＮ）６３に図示しない通信装置等が接続されていれば、その通信装置等にアクセスすることにより、その通信装置等が提供するコンテンツ（個人情報）がアクセスポイント６１を介して通信端末２１の記憶部１２に自動的に格納される。
【００６２】
したがって、アドホック通信を行う場合に、これらの個人情報を利用してユーザ同士が繋がることが可能となる。
【００６３】
（３）通信端末２１が無線基地局装置５１を介して送受信信号１０４、１０５および１０６による通信を行う場合。
【００６４】
この場合は、携帯電話としての動作となり、電話帳情報、発着呼の情報、カメラ部３５による撮影画像等の個人情報が記憶部１２に自動的に格納される。
【００６５】
したがって、アドホック通信を行う場合に、これらの個人情報を利用してユーザ同士が繋がることが可能となる。
【００６６】
（４）通信端末２１が無線基地局装置５１および通信網８１を介して送受信信号１０７および１０８による通信を行う場合。
【００６７】
この場合は、携帯電話を利用して通信網８１に接続する動作となる。通信端末２１から通信網８１を介して通信装置８２にアクセスすることにより、その通信装置８２が提供するコンテンツ（個人情報）が通信網８１を介して通信端末２１の記憶部１２に自動的に格納される。
【００６８】
したがって、アドホック通信を行う場合に、これらの個人情報を利用してユーザ同士が繋がることが可能となる。
【００６９】
以上説明したように本発明の第２実施形態によれば、構内情報通信網（ＷＬＡＮ）、携帯電話網あるいはインターネット等の通信網８１を介して得られる個人情報を利用してユーザ同士が繋がることが可能となる。また、第１実施形態と同様に自端末で起動した機能に関連する個人情報として、通信網に接続しないで得られる個人情報を利用することも可能である。
【００７０】
すなわち、第２実施形態によれば第１実施形態に比べ、より多くのユーザ同士が繋がることが可能となる。
【００７１】
次に、第３実施形態について説明する。前述の第１および第２実施形態では、記憶部１２に自端末で起動した機能に関連する個人情報が格納される場合について説明した。第３実施形態ではこの自端末で起動した機能に関連する個人情報に加え、予め登録した個人情報も記憶部１２に含まれる場合について説明する。
【００７２】
図１および図３を参照すると、記憶部１２には自端末で起動した機能に関連する個人情報が格納されている。通信端末１および２１のユーザは、さらに所定の個人情報、一例として、友人の名前や趣味、通信網８１を介して得たお気に入りのサイト名等の個人情報を予め記憶部１２に登録しておく。そして、この予め登録された個人情報が通信端末間における個人情報の送受信に利用される。
【００７３】
以上説明したように第３実施形態によれば、個人情報の量が第１および第２実施形態に比べ増大するため、第１および第２実施形態の場合よりもさらに多くのユーザ同士が繋がることが可能となる。
【００７４】
次に、第４実施形態について説明する。第４実施形態は自端末で起動した機能に関連する個人情報の具体例について述べる。
【００７５】
（１）決済情報
図５は無線で決済を行う機能を備えた通信端末の一例の構成図である。なお、同図において図３と同様の構成部分には同一番号を付し、その説明を省略する。
【００７６】
図５を参照すると、第１無線通信部はＲＦＩＤ（ｒａｄｉｏ  ｆｒｅｑｕｅｎｃｙ  ｉｄｅｎｔｉｆｉｃａｔｉｏｎ）通信部１７と、アンテナ１８とを含んでいる。その他の構成は図３と同様である。
【００７７】
ＲＦＩＤ通信部１７は、ＩＤ（ｉｄｅｎｔｉｆｉｃａｔｉｏｎ）情報を埋め込んだタグ（ＩＤタグ）からアンテナ１８を介して電磁波や電波等を用いて比較的近距離（一例として数ｃｍ〜数ｍ）の無線通信を用いて情報交換を行うものである。
【００７８】
このＲＦＩＤ通信部１７は、一例として買い物等の決済に用いることが可能である。たとえば、ＩＤタグに予め一定の金銭をチャージ（ｃｈａｒｇｅ）しておけば、店内に設けられる端末装置の入出力部にＲＦＩＤ通信部１７を近づけることにより、代金の決済を行うことができる。
【００７９】
この場合、買い物した商品名、価格、店名、所在場所等の個人情報が制御部１４により記憶部１２に登録される。
【００８０】
したがって、この決済機能を起動すれば、この記憶部１２に登録された決済に関する個人情報を他の通信端末との個人情報の比較に用いることが可能となる。
【００８１】
なお、ＲＦＩＤ通信部１７およびアンテナ１８を第１無線通信部ではなく第２無線通信部３１に設けることも可能である。
【００８２】
（２）ＧＰＳ（ｇｒｏｂａｌ  ｐｏｓｉｔｉｏｎｉｎｇ  ｓｙｓｔｅｍ）軌跡
図６はＧＰＳで位置情報を取得する機能を備えた通信端末の一例の構成図である。なお、同図において図３と同様の構成部分には同一番号を付し、その説明を省略する。
【００８３】
図６を参照すると、第１無線通信部はＧＰＳ通信部４１と、アンテナ４２とを含んでいる。その他の構成は図３と同様である。
【００８４】
ＧＰＳ通信部４１はアンテナ４２を介して複数個の図示しない周回衛星からの電波を受信して自通信端末２１の所在位置を特定する機能を備えている。
【００８５】
この場合、特定した自通信端末２１の所在位置を示す個人情報が制御部１４により記憶部１２に登録される。所在位置を異なる時間に複数回取得すれば、自通信端末２１の所在位置の軌跡を辿ることが可能となる。
【００８６】
したがって、この位置情報取得機能を起動すれば、この記憶部１２に登録された所在位置を示す個人情報を他の通信端末との個人情報の比較に用いることが可能となる。
【００８７】
なお、ＧＰＳ通信部４１およびアンテナ４２を第１無線通信部ではなく第２無線通信部３１に設けることも可能である。
【００８８】
（３）通信網を介して取得したコンテンツ
図３および図４を参照すると、第２無線通信部３１は無線基地局５１および通信網８１を介して通信装置８２から所定のコンテンツを取得する機能を備えている。一例として、通信装置８２が音楽の配信を受ける機能を備えた装置であるとする。
【００８９】
この場合、ユーザが通信端末２１を用いて音楽配信機能を起動し、所定の曲を購入すると、その音楽情報（曲名、作曲者名、提供会社名等）が制御部１４により記憶部１２に登録される。
【００９０】
したがって、このコンテンツ取得機能を起動すれば、この記憶部１２に登録された音楽に関する個人情報を他の通信端末との個人情報の比較に用いることが可能となる。
【００９１】
（４）電子メール送受信機能
図３および図４を参照すると、第２無線通信部３１は無線基地局５１を介して他の通信端末７３と電子メールの送受信を行う機能を備えている。
【００９２】
この場合、送受信した情報が制御部１４により記憶部１２に登録される。一例として所定のキーワード（友人名、行きつけの店名、好みの場所等）が制御部１４により記憶部１２に登録される。この電子メール送受信機能を起動すれば、このキーワードを個人情報として他の通信端末との個人情報の比較に用いることが可能となる。
【００９３】
（５）スケジュール作成機能
第１の実施形態で述べたように、図１に示す通信端末１はスケジュール作成機能を備えている。したがって、図３に示す通信端末２１も同様のスケジュール作成機能を備えている。
【００９４】
スケジュール作成機能により得られる個人情報については第１実施形態で既に述べたが、ここでその具体例について述べる。
【００９５】
スケジュール作成機能とは、個人の行動予定を記録する機能である。行動予定を表として表示することも可能である。
【００９６】
通信端末２１のユーザはスケジュール作成機能を用いて、自己の行動予定を通信端末２１に入力する。入力する項目は、一例として、所定行動を起こす日時、場所、イベント情報等の個人情報である。これらの情報は制御部１４により記憶部１２に格納される。
【００９７】
したがって、このスケジュール作成機能を起動すれば、この記憶部１２に登録されたスケジュールに関する個人情報を他の通信端末との個人情報の比較に用いることが可能となる。
【００９８】
（６）通信網を介して取得した他のコンテンツ
図３および図４を参照すると、第２無線通信部３１は無線基地局５１および通信網８１を介して通信装置８２から所定のコンテンツを取得する機能を備えている。一例として、通信装置８２が通信網８１を介して通信装置８２が提供するホームページの情報を取得する機能を備えた装置であるとする。
【００９９】
この場合、ユーザが通信端末２１を用いてホームページ情報取得機能を起動し、所定のホームページ情報を取得すると、そのホームページの名前、ジャンル等の情報が制御部１４により記憶部１２に登録される。
【０１００】
したがって、このコンテンツ取得機能を起動すれば、この記憶部１２に登録されたホームページに関する個人情報を他の通信端末との個人情報の比較に用いることが可能となる。
【０１０１】
次に、第５実施形態について説明する。第５実施形態は通信端末の通信方法のプログラムに関するものである。図１および図３を参照すると、通信端末１および２１にはプログラム格納部１６が設けられている。プログラム格納部１６には図２にフローチャートで示す通信方法のプログラムが格納されている。制御部１４（“コンピュータ”）はプログラム格納部１６からその通信方法のプログラムを読み出し、そのプログラムにしたがって各構成部分３１，１１，３２，１３，３５，３６および１２を制御する。その制御内容はすでに述べたので、ここでの説明は省略する。
【０１０２】
以上説明したように第５実施形態によれば、ネットワークなしにユーザ同士が繋がることが可能で、しかもメモリに事前に自己のプロフィールを登録しておく必要がない通信方法のプログラムが得られる。
【図面の簡単な説明】
【０１０３】
【図１】本発明に係る通信端末の第１実施形態の構成図である。
【図２】本発明に係る通信端末の第１実施形態の動作を示すフローチャートである。
【図３】本発明に係る通信端末の第２実施形態の構成図である。
【図４】本発明に係る通信システムの一例の構成図である。
【図５】無線で決済を行う機能を備えた通信端末の一例の構成図である。
【図６】ＧＰＳで位置情報を取得する機能を備えた通信端末の一例の構成図である。
【符号の説明】
【０１０４】
１，２１，２２  通信端末
１１  第１無線通信部
１２  記憶部
１３  表示部
１４  制御部
１５，３８，３９  アンテナ
１６  プログラム格納部
３１  第２無線通信装置
３２  音声処理部
３３  送話部（マイク）
３４  受話部（スピーカ）
３５  カメラ部
３６  操作部
５１  無線基地局装置
５２，６２  アンテナ
６１  アクセスポイント
６３  構内情報通信網（ＷＬＡＮ）
７２  上位装置
７３  通信端末
８１  通信網
８２  通信装置（コンテンツサーバ等）
【図１】
2009105688.tif 000003
【図２】
2009105688.tif 000004
【図３】
2009105688.tif 000005
【図４】
2009105688.tif 000006
【図５】
2009105688.tif 000007
【図６】
2009105688.tif 000008